【手続補正書】
【提出日】令和2年10月30日(2020.10.30)
【手続補正１】
【補正対象書類名】明細書
【補正対象項目名】発明の名称
【補正方法】変更
【補正の内容】
【発明の名称】非接触測定システムおよび操作方法
【手続補正２】
【補正対象書類名】特許請求の範囲
【補正対象項目名】全文
【補正方法】変更
【補正の内容】
【特許請求の範囲】
【請求項１】
非接触測定システムであって、
前端を含むハウジングと、
動作時に、絶縁電線内の電圧を、前記絶縁電線にガルバニック接触することなく感知する、前記ハウジングの前記前端に近接して位置決めされた電圧センサーと、
動作時に、前記絶縁電線内の電流を、前記絶縁電線にガルバニック接触することなく感知する、前記ハウジングの前記前端に近接して位置決めされた電流センサーと、
前記ハウジング内に位置決めされた少なくとも１つのプロセッサであって、前記少なくとも１つのプロセッサは、前記電圧センサー及び前記電流センサーに動作可能に結合される、少なくとも１つのプロセッサと、を備え、動作時に、前記少なくとも１つのプロセッサは、
測定時間間隔中に前記電圧センサーによって取得された電圧センサー信号であって、前記絶縁電線内の前記電圧を示す前記電圧センサー信号を、前記電圧センサーから受信し、
前記測定時間間隔中に前記電流センサーによって取得された電流センサー信号であって、前記絶縁電線内の前記電流を示す前記電流センサー信号を、前記電流センサーから受信し、
少なくとも１つの交流（ＡＣ）電気的パラメータを、前記受信された電圧センサー信号及び電流センサー信号に少なくとも部分的に基づいて判定する、非接触測定システムであって、
前記非接触測定システムは、
前記少なくとも１つのプロセッサに動作可能に結合され、前記非接触測定システムのハウジングの前端に近接して位置決めされた位置合わせ用フィードバックセンサーであって、動作時に、前記位置合わせ用フィードバックセンサーは、前記電圧センサー及び前記電流センサーに対する前記絶縁電線の現在の位置合わせを示す位置合わせフィードバックセンサー信号を生成する、位置合わせ用フィードバックセンサーと、
前記少なくとも１つのプロセッサに動作可能に結合されたインジケータ装置と、を更に備え、動作時に、前記少なくとも１つのプロセッサは、前記位置合わせフィードバックセンサー信号を前記位置合わせ用フィードバックセンサーから受信し、前記インジケータ装置に、位置合わせ表示を、前記受信された位置合わせフィードバックセンサー信号に少なくとも部分的に基づいて前記非接触測定システムのユーザーに提供させる、非接触測定システム。
【請求項２】
前記電流センサーは、磁場センサーを含む、請求項１に記載の非接触測定システム。
【請求項３】
前記電圧センサーは、容量分圧器型電圧センサー、基準信号型電圧センサー又はマルチコンデンサ型電圧センサーのうちの１つを含む、請求項１に記載の非接触測定システム。
【請求項４】
前記電圧センサーは、動作時に、前記絶縁電線内の基準信号を、前記絶縁電線にガルバニック接触することなく感知する基準信号型電圧センサーを含み、
前記少なくとも１つのプロセッサは、前記基準信号を受信し、前記絶縁電線を通って流れる前記電流の少なくとも１つの特性を、前記受信された基準信号に少なくとも部分的に基づいて判定する、請求項１に記載の非接触測定システム。
【請求項５】
前記少なくとも１つのＡＣ電気的パラメータは、電力、位相、周波数、高調波又はエネルギーのうちの少なくとも１つを含む、請求項１に記載の非接触測定システム。
【請求項６】
動作時に、前記少なくとも１つのプロセッサは、複数のＡＣ電気的パラメータを、前記受信された電圧センサー信号及び電流センサー信号に少なくとも部分的に基づいて判定する、請求項１に記載の非接触測定システム。
【請求項７】
前記少なくとも１つのプロセッサに動作可能に結合されたディスプレイを更に備え、動作時に、前記少なくとも１つのプロセッサは、前記ディスプレイに前記少なくとも１つのＡＣ電気的パラメータを示させる、請求項１に記載の非接触測定システム。
【請求項８】
動作時に、前記少なくとも１つのプロセッサは、前記ディスプレイに前記少なくとも１つのＡＣ電気的パラメータに関連した波形又はグラフのうちの少なくとも一方を示させる、請求項７に記載の非接触測定システム。
【請求項９】
前記少なくとも１つのプロセッサに動作可能に結合された通信インターフェースを更に備え、動作時に、前記少なくとも１つのプロセッサは、前記通信インターフェースを介して、データを少なくとも１つの外部デバイスに送り、前記データは、前記電圧センサー信号、前記電流センサー信号、又は、前記判定された少なくとも１つのＡＣ電気的パラメータのうちの少なくとも１つに関連している、請求項１に記載の非接触測定システム。
【請求項１０】
前記通信インターフェースは、前記データを、前記少なくとも１つの外部デバイスに無線で送るように動作可能な無線通信インターフェースを含む、請求項９に記載の非接触測定システム。
【請求項１１】
少なくとも１つの外部デバイスであって、
ディスプレイと、
動作時に、前記非接触測定システムの前記通信インターフェースによって送られた前記データを受信する通信インターフェースと、
前記ディスプレイ及び前記通信インターフェースに動作可能に結合された少なくとも１つのプロセッサと、を含む、少なくとも１つの外部デバイスを更に備え、動作時に、前記少なくとも１つのプロセッサは、
前記通信インターフェースを介して、前記データを前記非接触測定システムから受信し、
前記ディスプレイに前記少なくとも１つのＡＣ電気的パラメータを示させる、請求項９に記載の非接触測定システム。
【請求項１２】
前記インジケータ装置は、視覚インジケータ装置又は可聴インジケータ装置のうちの少なくとも一方を含む、請求項１に記載の非接触測定システム。
【請求項１３】
前記インジケータ装置は、ディスプレイ又は複数の照明部のうちの少なくとも一方を含み、動作時に、前記少なくとも１つのプロセッサは、前記インジケータ装置に複数の色を含む位置合わせ表示を前記ユーザーに提供させ、前記複数の色のうちのそれぞれは、前記電圧センサー及び前記電流センサーに対する前記絶縁電線の位置合わせの異なるレベルに対応する、請求項１に記載の非接触電圧測定システム。
【請求項１４】
動作時に、前記少なくとも１つのプロセッサは、前記インジケータ装置に、測定値精度の表示を、前記受信された位置合わせフィードバックセンサー信号に少なくとも部分的に基づいて提供させる、請求項１に記載の非接触測定システム。
【請求項１５】
動作時に、前記少なくとも１つのプロセッサは、前記インジケータ装置に、試験中の前記絶縁電線に近接して通電された回路の表示を、前記受信された位置合わせフィードバックセンサー信号に少なくとも部分的に基づいて提供させる、請求項１に記載の非接触測定システム。
【請求項１６】
絶縁電線内の少なくとも１つの交流（ＡＣ）電気的パラメータを判定するために非接触測定システムを操作する方法であって、
前記非接触測定システムのハウジング内に位置決めされた電圧センサーを介して、前記絶縁電線内の電圧を、測定時間間隔中に、前記絶縁電線にガルバニック接触することなく感知することと、
前記非接触測定システムの前記ハウジング内に位置決めされた電流センサーを介して、前記絶縁電線内の電流を、前記測定時間間隔中に、前記絶縁電線にガルバニック接触することなく感知することと、
前記非接触測定システムの前記ハウジング内に位置決めされた少なくとも１つのプロセッサを介して、少なくとも１つの交流（ＡＣ）電気的パラメータを、前記感知された電圧及び前記感知された電流に少なくとも部分的に基づいて判定することと、
前記電圧センサー及び前記電流センサーに対する前記絶縁電線の現在の位置合わせを示す位置合わせフィードバックセンサー信号を前記前端に近接して位置決めされた位置合わせ用フィードバックセンサーから受信することと、
前記非接触測定システムの前記ハウジングの表面上に位置決めされたインジケータ装置に、位置合わせ表示を前記受信された位置合わせフィードバックセンサー信号に少なくとも部分的に基づいて前記非接触測定システムのユーザーに提供させることと、
を含む、方法。
【請求項１７】
前記電圧を感知することは、容量分圧器型電圧センサー、基準信号型電圧センサー又はマルチコンデンサ型電圧センサーのうちの１つを利用して前記電圧を感知することを含み、前記電流を感知することは、磁場センサーを利用して前記電流を感知することを含む、請求項１６に記載の方法。
【請求項１８】
少なくとも１つのＡＣ電気的パラメータを判定することは、電力、位相、周波数、高調波、又はエネルギーのうちの少なくとも１つを前記感知された電圧及び前記感知された電流に少なくとも部分的に基づいて判定することを含む、請求項１６に記載の方法。
【請求項１９】
前記少なくとも１つのＡＣ電気的パラメータの表示を前記非接触測定システムのユーザーに示すことを更に含む、請求項１６に記載の方法。
【請求項２０】
非接触測定システムであって、
前端を含むハウジングと、
動作時に、絶縁電線内の電圧を、測定時間間隔中に、前記絶縁電線にガルバニック接触することなく感知する、前記前端に近接して位置決めされた電圧センサーと、
動作時に、前記絶縁電線内の電流を、測定時間間隔中に、前記絶縁電線にガルバニック接触することなく感知する、前記前端に近接して位置決めされた電流センサーと、
前記前端に近接して位置決めされた位置合わせ用フィードバックセンサーと、
前記ハウジングの表面上に位置決めされたインジケータ装置と、
前記ハウジング内に位置決めされた少なくとも１つのプロセッサであって、前記少なくとも１つのプロセッサは、前記電圧センサー、前記電流センサー、前記位置合わせ用フィードバックセンサー及び前記インジケータ装置に通信可能に結合されている、少なくとも１つのプロセッサと、を備え、動作時に、前記少なくとも１つのプロセッサは、
少なくとも１つの交流（ＡＣ）電気的パラメータを前記感知された電圧及び前記感知された電流に少なくとも部分的に基づいて判定し、
前記電圧センサー及び前記電流センサーに対する前記絶縁電線の現在の位置合わせを示す位置合わせフィードバックセンサー信号を前記位置合わせ用フィードバックセンサーから受信し、
前記インジケータ装置に、位置合わせ表示を前記受信された位置合わせフィードバックセンサー信号に少なくとも部分的に基づいて前記非接触測定システムのユーザーに提供させる、非接触測定システム。